(57)【要約】【課題】感知式給水装置及びその方法を提供する。【解決手段】ケースと、外来物体をそれぞれ感知して第一乃至第三感知信号を発生する第一乃至第三感知器であって、前記第一感知器は前記ケースの前方の外来物体を感知し、前記第二感知器は前記ケースの一側方向の外来物体を感知し、且つ前記第三感知器は前記ケースの他側方向の外来物体を感知することと、前記第一乃至第三感知信号を受信して駆動信号をそれぞれ発生する電子制御ユニットと、前記駆動信号に基づいて給水の有無、給水量或いは給水温度を制御する流体制御ユニットとを備える。【選択図】図１ａ
2016061136.tif 000002
【特許請求の範囲】
【請求項１】
給水口、水道及び入水口からなり、前記給水口は前記水道を経由して前記入水口に連通するケースと、
外来物体をそれぞれ感知して第一乃至第三感知信号を発生する第一乃至第三感知器であって、前記第一感知器は前記ケースの前方の外来物体の感知に用いられ、前記第二感知器は前記ケースの一側方向の外来物体の感知に用いられ、且つ前記第三感知器は前記ケースの他側方向の外来物体の感知に用いられることと、
前記第一乃至第三感知器に電気的に接続し、前記第一乃至第三感知信号を受信して駆動信号をそれぞれ発生する電子制御ユニットと、
前記ケースの入水口に連通すると共に前記駆動信号に基づいて前記感知式給水装置の給水の有無、給水量或いは給水温度を制御する流体制御ユニットとを備えることを特徴とする、
感知式給水装置。
【請求項２】
前記電子制御ユニットは、第一マイクロプロセッサーを含み、前記第一乃至第三感知器に電気的に接続すると共に前記第一乃至第三感知信号を受信して制御信号をそれぞれ発生する主制御回路基板と、第二マイクロプロセッサーを含み、前記制御信号を受信して前記駆動信号を発生する付属制御回路基板とを備えることを特徴とする、請求項１に記載の感知式給水装置。
【請求項３】
前記主制御回路基板及び付属制御回路基板は１つの部材に統合されることを特徴とする、請求項２に記載の感知式給水装置。
【請求項４】
前記主制御回路基板及び前記ケースは１つの部材に統合されることを特徴とする、請求項２に記載の感知式給水装置。
【請求項５】
前記主制御回路基板及び前記ケースは独立して２つの部材となることを特徴とする、請求項２に記載の感知式給水装置。
【請求項６】
前記第一乃至第三感知器は前記ケース或いは前記主制御回路基板に配置されることを特徴とする、請求項２に記載の感知式給水装置。
【請求項７】
前記第一感知器が前記外来物体の出現を感知すると、前記第一感知信号はオン信号となり、前記感知式給水装置に給水を行わせ、また、前記第一感知器が前記外来物体の消失を感知すると、前記第一感知信号はオフ信号となり、前記感知式給水装置に給水を停止させることを特徴とする、請求項１に記載の感知式給水装置。
【請求項８】
前記第二感知器が最初に前記外来物体の出現及び消失を感知してから第一時間を未超過である場合、前記第二感知信号はオン信号となり、前記感知式給水装置に給水を行わせ、また、前記第二感知器が２回目に前記外来物体の出現及び消失を感知してから第一時間を未超過である場合、前記第二感知信号はオフ信号となり、前記感知式給水装置に給水を停止させることを特徴とする、請求項７に記載の感知式給水装置。
【請求項９】
前記感知式給水装置が持続的に給水し、且つ前記第二感知器が前記外来物体の出現を感知してから第二時間を超過する場合、前記第二感知信号は流量増加信号或いは流量減少信号となり、前記感知式給水装置の給水量が持続的に増加或いは減少し、前記第二時間は前記第一時間より長く、また、前記感知式給水装置の給水量が持続的に増加或いは減少し、且つ前記第二感知器が前記外来物体の消失を感知してから前記第二時間を超過する場合、前記第二感知信号は流量維持信号となり、前記感知式給水装置の給水量が変化せずに維持されることを特徴とする、請求項８に記載の感知式給水装置。
【請求項１０】
前記感知式給水装置の給水量が持続的に増加或いは減少するモードでは複数の設定値が設定され、前記感知式給水装置の給水量が最低設定値から最高設定値に徐々に増加し、前記最高設定値から前記最低設定値に徐々に減少し、不断で重複することを特徴とする、請求項９に記載の感知式給水装置。
【請求項１１】
前記感知式給水装置が持続的に給水し、且つ前記第三感知器が前記外来物体の出現を感知してから第三時間を超過する場合、前記第三感知信号は温度上昇信号或いは温度低下信号となり、前記感知式給水装置の給水温度を持続的に上昇或いは低下させ、また、前記感知式給水装置の給水温度が持続的に上昇或いは低下し、且つ前記第三感知器が前記外来物体の消失を感知してから前記第三時間を超過する場合、前記第三感知信号は温度維持信号となり、前記感知式給水装置の給水温度が変化せずに維持されることを特徴とする、請求項８に記載の感知式給水装置。
【請求項１２】
前記感知式給水装置の給水温度が持続的に上昇或いは低下するモードでは複数の設定値が設定され、前記感知式給水装置の給水温度が最低設定値から最高設定値に徐々に上昇し、前記最高設定値から前記最低設定値に徐々に低下し、不断で重複することを特徴とする、請求項１１に記載の感知式給水装置。
【請求項１３】
前記ケース或いは前記主制御回路基板に配置され、前記ケースの上方の外来物体を感知して第四感知信号を発生する第四感知器であって、前記電子制御ユニットは前記第四感知器に電気的に接続すると共に前記第四感知信号を受信して駆動信号を発生することと、容器の排水口に連通すると共に前記駆動信号に基づいて前記容器の排水の有無を制御する排水ユニットとをさらに備えることを特徴とする、請求項２に記載の感知式給水装置。
【請求項１４】
前記第四感知器が前記外来物体の出現を感知すると、前記第四感知信号はオン信号となり、前記容器に排水を行わせ、また、前記第四感知器が前記外来物体の消失を感知して所定時間経過すると、前記第四感知信号はオフ信号となり、前記容器の排水を停止させることを特徴とする、請求項１３に記載の感知式給水装置。
【請求項１５】
前記主制御回路基板は、前記感知式給水装置の給水量或いは給水温度の表示に使用される表示パネルをさらに備えることを特徴とする、請求項２に記載の感知式給水装置。
【請求項１６】
前記ケース或いは前記主制御回路基板に配置され、前記ケースの上方の外来物体を感知して第五感知信号を発生する第五感知器であって、前記電子制御ユニットは前記第五感知器に電気的に接続すると共に前記第五感知信号を受信して駆動信号を発生することと、前記ケースの他の入水口に連通すると共に前記駆動信号に基づいて前記飲用水の給水の有無の制御に用いられる飲用水制御ユニットとをさらに備えることを特徴とする、請求項２に記載の感知式給水装置。
【請求項１７】
前記第五感知器が前記外来物体の出現を感知すると、前記第五感知信号は飲用水オン信号となり、前記感知式給水装置に飲用水の給水を行わせ、また、前記第五感知器が前記外来物体の消失を感知すると、前記第五感知信号は飲用水オフ信号となり、前記感知式給水装置に飲用水の給水を停止させることを特徴とする、請求項１６に記載の感知式給水装置。
【請求項１８】
外来物体をそれぞれ感知して第一感知信号及び第二感知信号をそれぞれ発生する、第一感知器及び第二感知器を提供する工程と、
前記第一感知器が前記外来物体の出現を感知すると、前記第一感知信号はオン信号となり、感知式給水装置に給水を行わせる工程と、
前記第一感知器が前記外来物体の消失を感知すると、前記第一感知信号はオフ信号となり、前記感知式給水装置に給水を停止させる工程と、
前記第二感知器が最初に前記外来物体の出現及び消失を感知してから第一時間を未超過である場合、前記第二感知信号はオン信号となり、前記感知式給水装置に給水を行わせる工程と、
前記第二感知器が２回目に前記外来物体の出現及び消失を感知してから第一時間を未超過である場合、前記第二感知信号はオフ信号となり、前記感知式給水装置に給水を停止させる工程とを含むことを特徴とする、
感知式給水方法。
【請求項１９】
前記感知式給水装置が持続的に給水し、且つ前記第二感知器が前記外来物体の出現を感知してから第二時間を超過する場合、前記第二感知信号は流量増加信号或いは流量減少信号となり、前記感知式給水装置の給水量が持続的に増加或いは減少し、前記第二時間は前記第一時間より長い工程と、前記感知式給水装置の給水量が持続的に増加或いは減少し、且つ前記第二感知器が前記外来物体の消失を感知してから前記第二時間を超過する場合、前記第二感知信号は流量維持信号となり、前記感知式給水装置の給水量が変化せずに維持される工程とをさらに含むことを特徴とする、請求項１８に記載の感知式給水方法。
【請求項２０】
外来物体を感知して第三感知信号を発生する、第三感知器を提供する工程と、前記感知式給水装置が持続的に給水し、且つ前記第三感知器が前記外来物体の出現を感知してから第三時間を超過する場合、前記第三感知信号は温度上昇信号或いは温度低下信号となり、前記感知式給水装置の給水温度が持続的に上昇或いは低下する工程と、前記感知式給水装置の給水温度が持続的に上昇或いは低下し、且つ前記第三感知器が前記外来物体の消失を感知してから前記第三時間を超過する場合、前記第三感知信号は温度維持信号となり、前記感知式給水装置の給水温度が変化せずに維持される工程とをさらに含むことを特徴とする、請求項１８に記載の感知式給水方法。
【発明の詳細な説明】
【技術分野】
【０００１】
本発明は、感知式給水装置の非接触方式による給水の有無、給水量、給水温度或いは排水の有無の制御に関する。
【背景技術】
【０００２】
現代人の生活に水は切っても切り離せないものであり、各種各様の給水用具が存在する。自動感知或いは自動制御式の給水制御装置は使用が便利であるほか、接触感染を防いで衛生面を強化する。また、節水効果も有する。故に、国内外の大手キッチン用具メーカーは皆自動給水用具の製品開発を続けている。
【発明の概要】
【発明が解決しようとする課題】
【０００３】
しかしながら、前述した従来の技術では、即ち、現在感知式蛇口は一般的には単一の動作方式しかなく、赤外線遮蔽感知方式を採用して蛇口の給水電磁弁の開閉の制御を行う。即ち、手をかざすと給水を始め、手を離すと給水を停止する。これは、一般的には公共施設で利用するのに適しているが、長時間水を使用する場所での使用には適していない。例えば、家庭では、使用洗面台で手や顔を洗う場合、長時間水を出し続けることが多く、上述の感知式蛇口を使用すると、手や物体を赤外線感知器の前にずっとかざし続けて洗面台に水を溜めねばならず、使用上非常に不便であった。また、使用過程で給水量の制御及び温水と冷水の比率の調節が不可能であった。
【０００４】
そこで、本発明者は上記の欠点が改善可能と考え、鋭意検討を重ねた結果、合理的設計で上記の課題を効果的に改善する本発明の提案に到った。
【０００５】
本発明は、上記の事情を考慮してなされたもので、上記課題解決のため、本発明は、非接触方式で給水の有無、給水量、給水温度或いは排水の有無の制御を行う、感知式給水装置を提供することを主目的とする。
【課題を解決するための手段】
【０００６】
上述した課題を解決し、上記目的を達成するための本発明に係る感知式給水装置は、給水口、水道及び入水口からなり、前記給水口は前記水道を経由して前記入水口に連通するケースと、外来物体をそれぞれ感知して第一乃至第三感知信号を発生する第一乃至第三感知器であって、前記第一感知器は前記ケースの前方の外来物体の感知に用いられ、前記第二感知器は前記ケースの一側方向の外来物体の感知に用いられ、且つ前記第三感知器は前記ケースの他側方向の外来物体の感知に用いられることと、前記第一乃至第三感知器に電気的に接続し、前記第一乃至第三感知信号を受信して駆動信号をそれぞれ発生する電子制御ユニットと、前記ケースの入水口に連通すると共に前記駆動信号に基づいて前記感知式給水装置の給水の有無、給水量或いは給水温度を制御する流体制御ユニットとを備えることを特徴とする。
【０００７】
また、本発明に係る感知式給水装置は、前記ケース或いは前記主制御回路基板に配置され、前記ケースの上方の外来物体を感知して第四感知信号を発生する第四感知器であって、前記電子制御ユニットは前記第四感知器に電気的に接続すると共に前記第四感知信号を受信して駆動信号を発生することと、容器の排水口に連通すると共に前記駆動信号に基づいて前記容器の排水の有無を制御する排水ユニットとをさらに備えることを特徴とする。
【発明の効果】
【０００８】
本発明によれば、非接触方式で給水の有無、給水量、給水温度或いは排水の有無の制御を行い、節水の目的も達成できる。
【図面の簡単な説明】
【０００９】
【図１ａ】本発明の第１実施形態に係る感知式給水装置を左側から見た平面を示す概念図である。
【図１ｂ】本発明の第１実施形態に係る感知式給水装置を右側から見た平面を示す概念図である。
【図２】本発明の第１実施形態の主制御回路基板構成を示すブロック図である。
【図３】本発明の第１実施形態の付属制御回路基板構成を示すブロック図である。
【図４】本発明の他の実施形態に係る感知式給水装置を左側から見た平面を示す概念図である。
【図５】本発明の第１実施形態の流体制御ユニットを示す断面図である。
【図６ａ】本発明の第１実施形態に係る感知式給水装置を上面から見た概念図（一）である。
【図６ｂ】本発明の第１実施形態に係る感知式給水装置を上面から見た概念図（二）である。
【図６ｃ】本発明の第１実施形態に係る感知式給水装置を上面から見た概念図（三）である。
【図６ｄ】本発明の第１実施形態に係る感知式給水装置を上面から見た概念図（四）である。
【図７ａ】本発明のさらなる他の実施形態に係る感知式給水装置を左側から見た平面の概念図である。
【図７ｂ】本発明のさらなる他の実施形態に係る感知式給水装置を左側から見た平面の概念図である。
【図８ａ】本発明の第２実施形態に係る感知式給水装置を左側から見た平面の概念図である。
【図８ｂ】本発明の第２実施形態に係る感知式給水装置を右側から見た平面の概念図である。
【図９ａ】本発明の第３実施形態に係る感知式給水装置を左側から見た平面の概念図である。
【図９ｂ】本発明の第３実施形態に係る感知式給水装置を右側から見た平面の概念図である。
【発明を実施するための形態】
【００１０】
以下、図面を参照して、本発明を実施するための形態について、詳細に説明する。なお、本発明は、以下に説明する実施形態に限定されるものではない。
【００１１】
（第１実施形態）
図１ａは本発明の第１実施形態に係る感知式給水装置１００を左側から見た平面を示す概念図であり、図１ｂは本発明の第１実施形態に係る感知式給水装置１００を右側から見た平面を示す概念図である。
図１ａ及び図１ｂに示すように、前記感知式給水装置１００は、ケース１１０と、第一感知器１２２ａと、第二感知器１２２ｂと、第三感知器１２２ｃと、電子制御ユニット１２０と、流体制御ユニット１５０とを備える。前記ケース１１０は、給水出口１１２と、水道１１４と、入水口１１６とをさらに備え、前記給水口１１２は前記水道１１４を経由して前記入水口１１６と連通する。
【００１２】
前記電子制御ユニット１２０は、主制御回路基板１３０及び付属制御回路基板１４０を備える。前記主制御回路基板１３０は前記ケース１１０に配置されるか前記ケース１１０内に嵌入される。即ち、前記主制御回路基板１３０及び前記ケース１１０は１つの部材に統合される。
前記第一感知器１２２ａ、第二感知器１２２ｂ及び第三感知器１２２ｃは前記ケース１１０或いは前記主制御回路基板１３０に配置され、且つ外来物体（例えば、手）をそれぞれ感知して第一乃至第三感知信号を発生する。前記電子制御ユニット１２０は前記第一感知器１２２ａ、第二感知器１２２ｂ及び第三感知器１２２ｃに電気的に接続し、前記第一乃至第三感知信号を受信して駆動信号をそれぞれ発生する。前記第一感知器１２２ａ、第二感知器１２２ｂ及び第三感知器１２２ｃは赤外線感知器或いはマイクロ波感知器である。
【００１３】
本実施形態では、前記第一感知器１２２ａは前記ケース１１０に配置され、前記第二感知器１２２ｂは前記主制御回路基板１３０に配置され、前記第三感知器１２２ｃは前記主制御回路基板１３０に配置される。前記第一感知器１２２ａは前記ケース１１０の前方（例えば、前記主制御回路基板１３０の前方及び前記ケース１１０の給水口１１２の付近）の外来物体を感知し、前記第二感知器１２２ｂは前記ケース１１０の一側方向（例えば、前記主制御回路基板１３０の右方向）の外来物体を感知する。また、前記第三感知器１２２ｃは前記ケース１１０の他側方向（例えば、前記主制御回路基板１３０の左方向）の外来物体を感知する。
【００１４】
図２は本発明の第１実施形態の主制御回路基板１３０の構成を示すブロック図である。
前記主制御回路基板１３０は、第一マイクロプロセッサー１３２（例えば、半導体チップ）を備え、前記第一感知器１２２ａ、第二感知器１２２ｂ及び第三感知器１２２ｃに電気的に接続すると共に前記第一乃至第三感知信号をそれぞれ受信して制御信号をそれぞれ発生する。
前記主制御回路基板１３０は、前記第一マイクロプロセッサー１３２に電気的に接続し、前記感知式給水装置１００の給水量や給水温度等の相関資料を表示するための表示パネル１３４をさらに備える。前記主制御回路基板１３０は、電力を前記主制御回路基板１３０に提供する第一電源１３８（例えば、電池）をさらに含む（図１ａ及び図２参照）。
【００１５】
図３は本発明の第１実施形態の付属制御回路基板１４０の構成を示すブロック図である。
前記付属制御回路基板１４０は、前記第一マイクロプロセッサー１３２のこれら前記制御信号を受信して前記駆動信号を発生する第二マイクロプロセッサー１４２（例えば、半導体チップ）を備える。前記付属制御回路基板１４０は、電力を前記付属制御回路基板１４０に提供する第二電源１４８（例えば、電池）をさらに含む（図１ａ及び図３参照）。
【００１６】
前記主制御回路基板１３０は送信器１３３をさらに備え、前記第一マイクロプロセッサー１３２に電気的に接続すると共にこれら前記制御信号を伝送する。前記付属制御回路基板１４０は受信器１４３をさらに備え、前記第二マイクロプロセッサー１４２に電気的に接続すると共にこれら前記制御信号を受信する（図２及び図３参照）。
【００１７】
また、他の実施形態では、図４に示すように、前記電子制御ユニット１２０は、前記主制御回路基板１３０を前記付属制御回路基板１４０に電気的に接続するための信号接続線１２４をさらに備える。これにより、前記主制御回路基板及び付属制御回路基板は１つの部材に統合される。この際、前記信号接続線１２４はこれら前記制御信号の伝送及び受信に使用され（即ち、前記主制御回路基板１３０の送信器１３３及び前記付属制御回路基板１４０の受信器１４３を代替する）、電力を前記付属制御回路基板１４０に提供する（即ち、前記付属制御回路基板１４０の第二電源１４８を代替する）。
【００１８】
図５は本発明の第１実施形態の流体制御ユニット１５０を示す断面図である。
前記流体制御ユニット１５０は、バルブコア本体１６０と、少なくとも１つの駆動器と、少なくとも１つのバルブセットとを備え、冷水入水口１６２と、温水入水口１６４と、混合水道１６６と、混合流出口１６８とをさらに備える。前記混合流出口１６８は前記混合水道１６６を経由して前記冷水入水口１６２及び温水入水口１６４に連通する（図１ａ、図３及び図５参照）。
【００１９】
本実施形態では、２つの駆動器１５２ａ及び駆動器１５２ｂ（例えば、モーター）は前記第二マイクロプロセッサー１４２に電気的に接続し、２つのバルブセット１５４ａ及びバルブセット１５４ｂは前記バルブコア本体１６０内に配置され、前記混合水道１６６に連結し、これら前記駆動器１５２ａ及び駆動器１５２ｂは前記駆動信号に基づいてこれら前記バルブセット１５４ａ及びバルブセット１５４ｂを駆動し、混合後の冷温水を前記ケース１１０の入水口１１６に流入し、前記感知式給水装置１００の給水の有無、給水量或いは給水温度の制御を行う。簡述すると、前記流体制御ユニット１５０は前記ケース１１０の入水口１１６に連通し、前記駆動信号に基づいて前記感知式給水装置１００の給水の有無、給水量或いは給水温度の制御を行う。前記付属制御回路基板１４０は、前記混合流出口１６８の温度を感知するための温度感知器１４５をさらに備える（図３参照）。
【００２０】
例えば、前記バルブセット１５４ａは金属製のバルブコアである。前記金属製のバルブコアは、ナットと、制御レバーと、阻流板を備える。前記ナットは前記バルブコア本体１６０に螺着され、前記制御レバーの下部及び前記阻流板を前記バルブコア本体１６０内に固定する。前記制御レバーは前記阻流板に連結され、且つ前記制御レバーの下部は複数の孔部を有するキャビティ部を含む。前記阻流板は、前記冷水入水口１６２及び温水入水口１６４にそれぞれ対応する２つのオタマジャクシ型穿孔部を備える。前記制御レバーにより前記阻流板を回転させると、前記オタマジャクシ型穿孔部と前記冷水入水口１６２及び温水入水口１６４との重畳面積の調整が行われ（即ち、前記冷水入水口１６２からの流体と温水入水口１６４からの流体が前記バルブセット１５４ａのキャビティ部内に流入する流量比の調整）、その後前記キャビティ部内で混合後の流体が前記キャビティ部の複数の孔部を経由して前記混合水道１６６に流入する。これにより、前記バルブセット１５４ａにより前記感知式給水装置１００の給水の有無或いは給水温度の制御を行う。
【００２１】
例えば、前記バルブセット１５４ｂは金属製のバルブコアであり、その構造は前記バルブセット１５４ａに大方相似する。前記金属製のバルブコアは、ナットと、制御レバーと、阻流板とを備える。前記ナットにより前記制御レバーの下部及び前記阻流板を前記バルブコア本体１６０内に固定する。前記阻流板の１つのオタマジャクシ型穿孔部は前記混合水道１６６の他端に対応する。前記制御レバーが前記阻流板を回転させると、前記オタマジャクシ型穿孔部と前記混合水道１６６との重畳面積の調整が行われる（即ち、前記混合水道１６６からの流体が前記バルブセット１５４ｂのキャビティ部内に流入する流量の調整）。その後、前記バルブセット１５４ｂのキャビティ部内の流体が前記キャビティ部の複数の孔部を経て前記混合流出口１６８に流入する。これにより、前記バルブセット１５４ｂにより前記感知式給水装置１００の給水の有無及び給水量の制御を行う。
【００２２】
本発明の感知式給水方法には以下の多様な実施態様が存在する。
第１実施態様はオン／オフ（ＯＮ／ＯＦＦ）制御モードである（図６ａ参照）。前記第一感知器１２２ａが前記外来物体（例えば、手１０４）の出現を感知すると、前記第一感知信号はオン信号となり、前記感知式給水装置１００に給水を行わせる。前記第一感知器１２２ａが前記外来物体の消失を感知すると、前記第一感知信号はオフ信号となり、前記感知式給水装置１００に給水を停止させる。例えば、前記第一マイクロプロセッサー１３２が前記オン信号或いはオフ信号を受信して制御信号を発生し、前記第二マイクロプロセッサー１４２が前記制御信号を受信すると駆動信号を発生し、前記駆動器１５２ｂが前記駆動信号に基づいて前記バルブセット１５４ｂを駆動し、前記感知式給水装置１００の給水の有無を制御する。
【００２３】
第２実施態様はオン／オフ（ＯＮ／ＯＦＦ）制御モードである（図６ｂ参照）。前記第二感知器１２２ｂが最初に前記外来物体（例えば、手１０４）の出現及び消失を感知してから第一時間（例えば、２秒に設定）を未超過の場合、前記第二感知信号はオン信号となり、前記感知式給水装置１００に給水を行わせる。前記第二感知器１２２ｂが２回目に前記外来物体の出現及び消失を感知してから前記第一時間（例えば、２秒）を未超過の場合、前記第二感知信号はオフ信号となり、前記感知式給水装置１００に給水を停止させる。
例えば、前記第一マイクロプロセッサー１３２が前記オン信号或いはオフ信号を受信すると制御信号を発生し、前記第二マイクロプロセッサー１４２が前記制御信号を受信して駆動信号を発生し、前記駆動器１５２ｂが前記駆動信号に基づいて前記バルブセット１５４ｂを駆動し、前記感知式給水装置１００の給水の有無を制御する。
【００２４】
第３実施態様は流量制御モードである（図６ｃ参照）。前記感知式給水装置１００が持続的に給水を行い（例えば、前記感知式給水装置１００が先ず第１実施態様或いは第２実施態様のオン／オフ制御モードの給水状態になる）、且つ前記第二感知器１２２ｂが前記外来物体（例えば、手１０４）の出現を感知してから第二時間（例えば、３秒に設定）を超過する場合、前記第二感知信号は流量増加信号或いは流量減少信号となり、前記感知式給水装置１００の給水量を持続的に増加或いは減少させる。前記第二時間は前記第一時間より長く設定して、前記感知式給水装置１００が第２実施態様のオン／オフ制御モードの給水状態に留まらないようにする。前記感知式給水装置１００が給水量を持続的に増加或いは減少させ、且つ前記第二感知器１２２ｂが前記外来物体の消失を感知してから前記第二時間を超過する場合、前記第二感知信号は流量維持信号となり、前記感知式給水装置１００の給水量が変化せずに維持される。
例えば、前記第一マイクロプロセッサー１３２が前記流量増加信号、流量減少信号或いは流量維持信号を受信して制御信号を発生し、前記第二マイクロプロセッサー１４２が前記制御信号を受信して駆動信号を発生し、前記駆動器１５２ｂが前記駆動信号に基づいて前記バルブセット１５４ｂを駆動し、前記感知式給水装置１００の給水量を制御する。
【００２５】
前記感知式給水装置の給水量が持続的に増加或いは減少するモードでは複数の設定値が設定され、前記感知式給水装置の給水量は最低設定値から最高設定値に徐々に増加し、前記最高設定値から前記最低設定値に徐々に減少し、不断で重複する。
例えば、第１級、第２級、第３級、第４級及び第５級の設定値が設定され、前記感知式給水装置の給水量が前記第１級から、第２級、第３級、第４、前記第５級へと徐々に増加し、前記第５級から、第４級、第３級、第２級、前記第１級へと徐々に減少して、不断で重複する。例えば、第１級が１０リットル／分に設定され、各級毎に２リットル／分増加し、第１級は最低設定値の１０リットル／分になり、第５級は最高設定値の１８リットル／分になる。
【００２６】
第４実施態様は温度制御モードである（図６ｄ参照）。前記感知式給水装置１００が持続的に給水を行い（例えば、前記感知式給水装置１００が先ず第１実施態様或いは第２実施態様のオン／オフ制御モードの給水状態になる）、且つ前記第三感知器１２２ｃが前記外来物体（例えば、手１０４）の出現を感知してから第三時間（例えば、３秒に設定）を超過する場合、前記第三感知信号は温度上昇信号或いは温度低下信号となり、前記感知式給水装置１００の給水温度が持続的に増加或いは減少する。前記感知式給水装置１００の給水温度が持続的に増加或いは減少し、且つ前記第三感知器１２２ｃが前記外来物体の消失を感知してから前記第三時間を超過する場合、前記第三感知信号は温度維持信号となり、前記感知式給水装置の給水温度が変化せずに維持される。
例えば、前記第一マイクロプロセッサー１３２が前記温度上昇信号、温度低下信号或いは温度維持信号を受信して制御信号を発生し、前記第二マイクロプロセッサー１４２が前記制御信号を受信して駆動信号を発生し、前記駆動器１５２ａが前記駆動信号に基づいて前記バルブセット１５４ａを駆動し、前記感知式給水装置１００の給水温度を制御する。
【００２７】
前記感知式給水装置の給水温度が持続的に増加或いは減少するモードでは複数の設定値が設定され、前記感知式給水装置の給水温度が最低設定値から最高設定値に徐々に増加し、前記最高設定値から前記最低設定値に徐々に減少し、不断で重複する。
例えば、第１級、第２級、第３級、第４級及び第５級の設定値が設定され、前記感知式給水装置の給水温度が前記第１級から、第２級、第３級、第４級、前記第５級へと徐々に増加し、前記第５級から、第４級、第３級、第２級、前記第１級へと徐々に減少し、不断で重複する。例えば、第１級が摂氏２５度に設定され、各級毎に５度増加し、第１級が最低設定値の摂氏２５度になり、第５級が最高設定値の摂氏４５度になる。
【００２８】
また、第４実施態様の温度制御モードでは、毎回前記感知式給水装置１００の使用を開始する際、給水温度は最低設定値（例えば、摂氏２５度）から徐々に増加し、前回感知式給水装置１００を使用した際に給水温度が高過ぎた場合に対処する。
【００２９】
さらなる他の実施形態では、前記感知式給水装置１００は第四感知器１２２ｄ及び排水ユニット１８０をさらに備える（図７ａ及び図７ｂ参照）。前記第四感知器１２２ｄは前記ケース１１０或いは前記主制御回路基板１３０に配置され、前記ケース１１０の上方（例えば、前記主制御回路基板１３０の上方）の外来物体（例えば、手１０４）を感知して第四感知信号を発生する。前記電子制御ユニット１２０は前記第四感知器１２２ｄに電気的に接続し（例えば、前記第四感知器１２２ｄは図２の前記第一感知器１２２ａ、第二感知器１２２ｂ及び第三感知器１２２ｃと同様に前記主制御回路基板１３０の第一マイクロプロセッサー１３２に電気的に接続する）、前記第四感知信号を受信して駆動信号を発生する。前記排水ユニット１８０は容器１０６の排水口１０８に連通し、前記駆動信号に基づいて前記容器の排水の有無を制御する。前記第四感知器１２２ｄは赤外線感知器或いはマイクロ波感知器である。
【００３０】
前記排水ユニット１８０は連動器１８４と、栓弁１８２と、駆動器１８６とを備える。前記駆動器１８６は信号接続線（図示せず）により前記付属制御回路基板１４０の第二マイクロプロセッサー１４２に電気的に接続する。例えば、前記栓弁１８２は前記連動器１８４の前端に螺接され、例えば、前記栓弁１８２の雌ねじが前記連動器１８４の前端の雄ねじに螺接される。
前記駆動器１８６はスクリューエレベーター方式で前記連動器１８４に機械的に連結する。口紅のように回転して伸縮する原理のスクリューエレベーターの設計により、前記駆動器１８６の回転運動を前記連動器１８４の直線運動に変換する。
【００３１】
本発明の感知式排水工程の実施態様は、前記第四感知器１２２ｄが前記外来物体（例えば、手１０４）の出現を感知すると、前記第四感知信号はオン信号となり、前記容器１０６から排水を行う（図７ａ参照）。前記第四感知器１２２ｄが前記外来物体の消失を感知してから所定時間（例えば、１分）を経ると、前記第四感知信号はオフ信号となり、前記容器１０６に排水を停止する（図７ｂ参照）。
例えば、前記第一マイクロプロセッサー１３２が前記オン信号或いはオフ信号を受信すると制御信号を発生し、前記第二マイクロプロセッサー１４２が前記制御信号を受信して駆動信号を発生し、前記駆動器１８６が前記駆動信号に基づいて前記連動器１８４及び前記栓弁１８２を駆動し、前記容器１０６の排水の有無の制御を行う。本発明の排水ユニット１８０は平時では前記容器１０６の排水口１０８を閉じた状態に保持し、前記排水ユニット１８０の下方から臭気が外に漏れるのを防ぐ。
【００３２】
本発明に係る感知式給水装置は非接触方式で給水の有無、給水量、給水温度或いは排水の有無を制御する。特に、前記第一感知器は前記ケースの前方の外来物体を感知し、前記第二感知器は前記ケースの一側方向の外来物体を感知し、前記第三感知器は前記ケースの他側方向の外来物体を感知し、前記第四感知器は前記ケースの上方の外来物体を感知し、給水の有無、給水量、給水温度或いは排水の有無を制御する。本発明の電子制御ユニットの主制御回路基板の表示パネルには、前記感知式給水装置の給水量或いは給水温度が表示される。
【００３３】
（第２実施形態）
図８ａは本発明の第２実施形態に係る感知式給水装置１００’を左側から見た平面の概念図であり、図８ｂは本発明の第２実施形態に係る感知式給水装置を右側から見た平面の概念図である。
前記感知式給水装置１００’は、ケース１１０と、電子制御ユニット１２０’と、流体制御ユニット１５０とを備える。第２実施形態に係る感知式給水装置１００’は第１実施形態に係る感知式給水装置１００に大方類似し、類似する部材は類似する符号で標示する。第２実施形態に係る感知式給水装置１００’と第１実施形態に係る感知式給水装置１００との差異は、第２実施形態に係る感知式給水装置１００’の主制御回路基板１３０’は前記ケース１１０に配置されず、或いは前記ケース１１０内に嵌入されない点である。即ち、前記主制御回路基板１３０’及び前記ケース１１０は独立した２つの部材となる（図８ａ及び図８ｂ参照）。
【００３４】
本実施形態では、前記第一感知器１２２ａ、前記第二感知器１２２ｂ、前記第三感知器１２２ｃ及び第四感知器１２２ｄは前記主制御回路基板１３０’に配置され、外来物体（例えば、手）をそれぞれ感知して第一乃至第四感知信号をそれぞれ発生する。前記第一感知器１２２ａが前記主制御回路基板１３０’に配置されるため、前記第一感知器１２２ａは前記ケース１１０の給水口１１２から大きく離れず、感知前記ケース１１０の給水口１１２の下方に外来物体が出現した場合に、感知が失敗しない。
前記第二感知器１２２ｂ（図８ａ参照）は前記主制御回路基板１３０’の一側方向（例えば、前記ケース１１０の右方向）の外来物体を感知する。前記第三感知器１２２ｃ（図８ｂ参照）は前記主制御回路基板１３０’の他側方向（例えば、前記ケース１１０の左方向）の外来物体を感知する。前記第四感知器１２２ｄは前記主制御回路基板１３０’の上方（例えば、前記ケース１１０の上方）の外来物体を感知する。
【００３５】
前記主制御回路基板１３０’及び前記ケース１１０が独立した２つの部材となるため、前記主制御回路基板１３０’は使用者の需要に応じて適切な位置に固定されるか随時移動可能になり、このため、より便利になる。
【００３６】
（第３実施形態）
図９ａは本発明の第３実施形態に係る感知式給水装置１００“を左側から見た平面の概念図であり、図９ｂは本発明の第３実施形態に係る感知式給水装置１００“を右側から見た平面の概念図である。
図に示すように、第３実施形態に係る感知式給水装置１００’’は第２実施形態に係る感知式給水装置１００’に大方類似し、類似する部材は類似する符号で標示する。第３実施形態の感知式給水装置１００’’と第２実施形態に係る感知式給水装置１００’との差異は、第３実施形態の感知式給水装置１００’’は、第五感知器１２２ｅ及び飲用水制御ユニット１９０をさらに備える点である。
前記金属ケース１１０’’は、他の給水出口１１３と、他の水道１１５と、他の入水口１１７とをさらに含み、前記給水口１１３は前記水道１１５を経由して前記入水口１１７に連通する。前記飲用水制御ユニット１９０の一端は前記ケース１１０’’の入水口１１７に連通し、且つ前記飲用水制御ユニット１９０の他端は飲用水水源１９１（例えば、逆浸透膜濾過水源）に連通する。
【００３７】
前記第五感知器１２２ｅは前記主制御回路基板１３０’’或いは前記ケース１１０’’に配置され、前記主制御回路基板１３０’’の上方の外来物体（例えば、手１０４）を感知して第五感知信号を発生する。前記電子制御ユニット１２０’’は前記第五感知器１２２ｅに電気的に接続し（例えば、前記第五感知器１２２ｅは図２の前記第一感知器１２２ａ、第二感知器１２２ｂ及び第三感知器１２２ｃと同様に前記主制御回路基板１３０の第一マイクロプロセッサー１３２に電気的に接続する）、前記第五感知信号を受信して駆動信号を発生する。
前記飲用水制御ユニット１９０は他の信号接続線（図示せず）により前記付属制御回路基板１４０’’の第二マイクロプロセッサー１４２に電気的に接続する。前記飲用水制御ユニット１９０は前記ケース１１０’’の入水口１１７に連通し、前記駆動信号に基づいて前記飲用水給水の有無を制御する。前記第五感知器１２２ｅは赤外線感知器或いはマイクロ波感知器である。前記飲用水制御ユニット１９０は電磁弁である。
【００３８】
本発明に係る感知式飲用水給水工程の実施態様は、前記第五感知器１２２ｅが最初に前記外来物体（例えば、手１０４）の出現を感知すると、前記第五感知信号は飲用水オン信号となり、前記感知式給水装置１００’’に飲用水を給水させる（図９ａ参照）。前記第五感知器１２２ｅが前記外来物体の消失を感知すると、前記第五感知信号は飲用水オフ信号となり、前記感知式給水装置１００’’に飲用水の給水を停止させる（図９ｂ参照）。
例えば、前記第一マイクロプロセッサー１３２が前記飲用水オン信号或いは飲用水オフ信号を受信して制御信号を発生し、前記第二マイクロプロセッサー１４２が前記制御信号を受信して駆動信号を発生し、前記飲用水制御ユニット１９０が前記駆動信号に基づいて前記感知式給水装置１００’’の飲用水の給水の有無の制御を行う。
【００３９】
本発明の第一感知器１２２ａ、第二感知器１２２ｂ、第三感知器１２２ｃ及び流体制御ユニット１５０により前記感知式給水装置１００’’の水道水の給水の有無、給水量或いは給水温度の制御を行い、前記第五感知器１２２ｅ及び前記飲用水制御ユニット１９０により前記感知式給水装置１００’’の飲用水の給水の有無の制御を行う。これにより、本発明に係る感知式給水装置１００’’は水道水及び飲用水の２種類の給水の制御を可能とする。
【００４０】
以上、本発明はこのような実施形態に限定されるものではなく、発明の趣旨を逸脱しない範囲において、種々の形態で実施することができる。
【符号の説明】
【００４１】
１００    感知式給水装置
１００’  感知式給水装置
１０４    手
１０６    容器
１０８    排水口
１１０    ケース
１１２    給水口
１１４    水道
１１６    入水口
１２０    電子制御ユニット
１２０’  電子制御ユニット
１２２ａ  第一感知器
１２２ｂ  第二感知器
１２２ｃ  第三感知器
１２２ｄ  第四感知器
１２２ｅ  第五感知器
１２４    信号接続線
１３０    主制御回路基板
１３０’  主制御回路基板
１３２    第一マイクロプロセッサー
１３３    送信器
１３４    表示パネル
１３８    第一電源
１４０    付属制御回路基板
１４２    第二マイクロプロセッサー
１４３    受信器
１４５    温度感知器
１４８    第二電源
１５０    流体制御ユニット
１５２ａ  駆動器
１５２ｂ  駆動器
１５４ａ  バルブセット
１５４ｂ  バルブセット
１６０    バルブコア本体
１６２    冷水入水口
１６４    温水入水口
１６６    混合水道
１６８    混合流出口
１８０    排水ユニット
１８２    栓弁
１８４    連動器
１８６    駆動器
【図１ａ】
2016061136.tif 000003
【図１ｂ】
2016061136.tif 000004
【図２】
2016061136.tif 000005
【図３】
2016061136.tif 000006
【図４】
2016061136.tif 000007
【図５】
2016061136.tif 000008
【図６ａ】
2016061136.tif 000009
【図６ｂ】
2016061136.tif 000010
【図６ｃ】
2016061136.tif 000011
【図６ｄ】
2016061136.tif 000012
【図７ａ】
2016061136.tif 000013
【図７ｂ】
2016061136.tif 000014
【図８ａ】
2016061136.tif 000015
【図８ｂ】
2016061136.tif 000016
【図９ａ】
2016061136.tif 000017
【図９ｂ】
2016061136.tif 000018